(57)【要約】【課題】気象衛星を保有しない地域又は国においても、災害を予防することが可能な災害予防プログラム及び災害予防システムを提供する。【解決手段】  この防災情報処理システムは、複数のサーバを備えており、衛星から取得した地球状態の物理量情報を格納するサーバにアクセスし、取得した物理量情報を、複数のユーザの携帯端末に送信する。複数のユーザによって予想された複数の危険位置の情報を受信した場合、受信した危険位置情報に基づいて、警告情報を作成し、その警告情報を、ユーザの携帯端末に送信させる。【選択図】図１
2015153412.tif 000002
【特許請求の範囲】
【請求項１】
人工衛星から取得した地球状態の物理量情報を格納するサーバにアクセスするアクセス手段と、
前記アクセス手段によって取得した物理量情報を、複数のユーザの携帯端末に送信する送信手段と、
複数のユーザによって予想された複数の危険位置の情報を受信し、受信した危険位置情報に基づいて、警告情報を作成する処理手段と、
を備えることを特徴とする防災情報処理システム。
【請求項２】
前記処理手段によって作成された警告情報を、ユーザの携帯端末に送信させる第２の送信手段を備えることを特徴とする請求項１に記載の防災情報処理システム。
【請求項３】
前記第２の送信手段は、ソーシャル・ネットワーキング・サービスを介して、前記処理手段によって作成された警告情報を、ユーザの携帯端末に送信させることを特徴とする請求項２に記載の防災情報処理システム。
【請求項４】
ユーザの携帯端末の位置情報、又は、ユーザが予め登録しておいた位置情報を記憶するアドレス記憶手段を備え、
前記第２の送信手段は、
前記アドレス記憶手段に記憶されたユーザの位置情報の示す位置が、前記処理手段が受信した危険位置情報示す位置範囲内に含まれる場合には、該当するユーザに警告情報を送信することを特徴とする請求項２又は３に記載の防災情報処理システム。
【請求項５】
今回のあるユーザの予想の危険位置と、その後に、人工衛星から取得した物理量情報に基づいて得られる危険位置と比較する比較手段と、
前記比較手段による比較結果が、一致する場合には、当該ユーザの予想的中ランキングを上昇させるランキング手段と、
を備えることを特徴とする請求項１〜４のいずれか１項に記載の防災情報処理システム。
【請求項６】
請求項５に記載の前記防災情報処理システムを利用する携帯端末を制御する防災情報処理プログラムであって、
前記ランキング手段によって決定されたユーザのランキングの情報を受信し、ランキングの上昇に応じて、当該ユーザの表示器上に表示させる生物を成長させる表示を行うランキング情報表示手段を備えることを特徴とする防災情報処理プログラム。
【請求項７】
請求項１〜５のいずれか１項に記載の前記防災情報処理システムを利用する携帯端末を制御する防災情報処理プログラムであって、
複数地域に分割された地図情報を、前記送信手段から受信した物量量情報と共に、表示器上に表示させる表示制御手段と、
前記表示器上に分割された表示された各地域のいずれかをクリックした旨を検出するクリック検出手段と、
クリックされた地域の座標を、前記ユーザによって予想された複数の危険位置の情報として、前記処理手段に送信する、予想情報送信手段と、
を備えることを特徴とする防災情報処理プログラム。
【請求項８】
人工衛星から取得した地球状態の物理量情報を格納するサーバにアクセスするアクセス工程と、
前記アクセス手段によって取得した物理量情報を、複数のユーザの携帯端末に送信する送信工程と、
複数のユーザによって予想された複数の危険位置の情報を受信し、受信した危険位置情報に基づいて、警告情報を作成する処理工程と、
を備えることを特徴とする防災情報処理方法。
【請求項９】
前記処理工程によって作成された警告情報を、ユーザの携帯端末に送信させる第２の送信工程を備えることを特徴とする請求項８に記載の防災情報処理方法。
【請求項１０】
前記第２の送信工程は、ソーシャル・ネットワーキング・サービスを介して、前記処理工程によって作成された警告情報を、ユーザの携帯端末に送信させることを特徴とする請求項２に記載の防災情報処理方法。
【請求項１１】
ユーザの携帯端末の位置情報、又は、ユーザが予め登録しておいた位置情報を記憶するアドレス記憶工程を備え、
前記第２の送信工程は、
前記アドレス記憶工程に記憶されたユーザの位置情報の示す位置が、前記処理工程が受信した危険位置情報示す位置範囲内に含まれる場合には、該当するユーザに警告情報を送信することを特徴とする請求項９又は１０に記載の防災情報処理方法。
【請求項１２】
今回のあるユーザの予想の危険位置と、その後に、人工衛星から取得した物理量情報に基づいて得られる危険位置と比較する比較工程と、
前記比較手段による比較結果が、一致する場合には、当該ユーザの予想的中ランキングを上昇させるランキング工程と、
を備えることを特徴とする請求項８〜１１のいずれか１項に記載の防災情報処理方法。
【請求項１３】
人工衛星から取得した地球状態の物理量情報を格納するサーバにアクセスするアクセス手段と、
ユーザの携帯端末に表示された物理量情報要求ボタンをクリックすると、物理量情報要求指令を受信する受信手段と、
物理量情報要求指令を受信した場合、前記アクセス手段によって取得した物理量情報を、その物理量に関連づけられた地図情報と共に、ユーザの携帯端末に送信する送信手段と、
を備えることを特徴とする防災情報処理システム。
【請求項１４】
人工衛星から取得した地球状態の物理量情報を格納するサーバにアクセスするアクセス手段と、
ユーザの携帯端末に表示された物理量情報要求ボタンをクリックすると、物理量情報要求指令を受信する受信手段と、
物理量情報要求指令を受信した場合、前記アクセス手段によって取得した物理量情報に含まれる物理量が閾値以上の場合に、当該物理量が閾値以上である旨を、その物理量に関連づけられた地図情報と共に、ユーザの携帯端末に送信する送信手段と、
を備えることを特徴とする防災情報処理システム。
【請求項１５】
人工衛星から取得した地球状態の物理量情報を格納するサーバにアクセスするアクセス手段と、
ユーザの携帯端末に表示された２以上の物理量の論理和又は論理積の情報要求ボタンをクリックすると、情報要求指令を受信する受信手段と、
情報要求指令を受信した場合、前記アクセス手段によって取得した物理量情報の論理和又は論理積を、その物理量に関連づけられた地図情報と共に、ユーザの携帯端末に送信する送信手段と、
を備えることを特徴とする防災情報処理システム。
【発明の詳細な説明】
【技術分野】
【０００１】  この発明は、衛星からのデータを処理し、住民の被災を予防するための防災情報処理システム、防災情報処理プログラム及び防災情報処理方法に関する。
【背景技術】
【０００２】  従来の防災情報処理システムは、例えば、特許文献１に記載されている。従来のシステムにおいては、日本の気象衛星が、雷、竜巻、津波、台風などの局地的かつ破壊的な気象現象を観測し、観測データを気象庁データ処理局に送信している。このシステムは、気象現象を観測した結果を示す気象観測情報を取得し、取得した気象観測情報に基づいて、気象現象による災害から避難するための情報である避難情報を生成し、移動体通信機器に送信するサーバと、避難情報を受信し、避難情報に基づいた、自身の現在位置からユーザを誘導するための避難誘導情報を出力する移動体通信機器とを備えている。
【先行技術文献】
【特許文献】
【０００３】
【特許文献１】特開２０１２−１９５００２号広報
【発明の概要】
【発明が解決しようとする課題】
【０００４】  しかしながら、世界の中には、気象衛星からの情報が提供されていない地域があり、そのような地域では、依然として災害を予防することが困難になっている。本発明は、このような課題に鑑みてなされたものであり、気象衛星を保有しない地域又は国においても、災害を予防することが可能な防災情報処理システム、防災情報処理プログラム及び防災情報処理方法を提供することを目的とする。
【課題を解決するための手段】
【０００５】  以上の課題を解決するために、第１の発明にかかる防災情報処理システムは、人工衛星から取得した地球状態の物理量情報を格納するサーバにアクセスするアクセス手段と、前記アクセス手段によって取得した物理量情報を、複数のユーザの携帯端末に送信する送信手段と、複数のユーザによって予想された複数の危険位置の情報を受信し、受信した危険位置情報に基づいて、警告情報を作成する処理手段と、を備えることを特徴とする。【０００６】  第２の発明にかかる防災情報処理システムは、前記処理手段によって作成された警告情報を、ユーザの携帯端末に送信させる第２の送信手段を備えることを特徴とする。【０００７】  第３の発明にかかる防災情報処理システムは、前記第２の送信手段は、ソーシャル・ネットワーキング・サービスを介して、前記処理手段によって作成された警告情報を、ユーザの携帯端末に送信させることを特徴とする。【０００８】  第４の発明にかかる防災情報処理システムは、ユーザの携帯端末の位置情報、又は、ユーザが予め登録しておいた位置情報を記憶するアドレス記憶手段を備え、前記第２の送信手段は、前記アドレス記憶手段に記憶されたユーザの位置情報の示す位置が、前記処理手段が受信した危険位置情報示す位置範囲内に含まれる場合には、該当するユーザに警告情報を送信することを特徴とする。【０００９】  第５の発明にかかる防災情報処理システムは、今回のあるユーザの予想の危険位置と、その後に、人工衛星から取得した物理量情報に基づいて得られる危険位置と比較する比較手段と、前記比較手段による比較結果が、一致する場合には、当該ユーザの予想的中ランキングを上昇させるランキング手段と、を備えることを特徴とする。【００１０】  上述の防災情報処理システムを利用する携帯端末を制御する防災情報処理プログラムは、コンピュータに読み取り可能であり、そのハードウエア資源と協働して、コンピュータを制御する。この防災情報処理プログラムは、前記ランキング手段によって決定されたユーザのランキングの情報を受信し、ランキングの上昇に応じて、当該ユーザの表示器上に表示させる生物を成長させる表示を行うランキング情報表示手段を備えることを特徴とする。【００１１】  また、上述の防災情報処理システムを利用する携帯端末を制御する防災情報処理プログラムは、複数地域に分割された地図情報を、前記送信手段から受信した物量量情報と共に、表示器上に表示させる表示制御手段と、前記表示器上に分割された表示された各地域のいずれかをクリックした旨を検出するクリック検出手段と、クリックされた地域の座標を、前記ユーザによって予想された複数の危険位置の情報として、前記処理手段に送信する、予想情報送信手段とを備えることを特徴とする。【００１２】  本発明にかかる第１の防災情報処理方法は、人工衛星から取得した地球状態の物理量情報を格納するサーバにアクセスするアクセス工程と、前記アクセス手段によって取得した物理量情報を、複数のユーザの携帯端末に送信する送信工程と、複数のユーザによって予想された複数の危険位置の情報を受信し、受信した危険位置情報に基づいて、警告情報を作成する処理工程とを備えることを特徴とする。【００１３】  本発明にかかる第２の防災情報処理方法は、前記処理工程によって作成された警告情報を、ユーザの携帯端末に送信させる第２の送信工程を備えることを特徴とする。【００１４】  本発明にかかる第３の防災情報処理方法は、前記第２の送信工程は、ソーシャル・ネットワーキング・サービスを介して、前記処理工程によって作成された警告情報を、ユーザの携帯端末に送信させることを特徴とする。【００１５】  本発明にかかる第４の防災情報処理方法は、ユーザの携帯端末の位置情報、又は、ユーザが予め登録しておいた位置情報を記憶するアドレス記憶工程を備え、前記第２の送信工程は、前記アドレス記憶工程に記憶されたユーザの位置情報の示す位置が、前記処理工程が受信した危険位置情報示す位置範囲内に含まれる場合には、該当するユーザに警告情報を送信することを特徴とする。【００１６】  本発明にかかる第５の防災情報処理方法は、今回のあるユーザの予想の危険位置と、その後に、人工衛星から取得した物理量情報に基づいて得られる危険位置と比較する比較工程と、前記比較手段による比較結果が、一致する場合には、当該ユーザの予想的中ランキングを上昇させるランキング工程と、を備えることを特徴とする。【００１７】  また、本発明の防災情報処理システムは、人工衛星から取得した地球状態の物理量情報を格納するサーバにアクセスするアクセス手段と、ユーザの携帯端末に表示された物理量情報要求ボタンをクリックすると、物理量情報要求指令を受信する受信手段と、物理量情報要求指令を受信した場合、前記アクセス手段によって取得した物理量情報を、その物理量に関連づけられた地図情報と共に、ユーザの携帯端末に送信する送信手段とを備えることもできる。【００１８】  また、本発明の防災情報処理システムは、人工衛星から取得した地球状態の物理量情報を格納するサーバにアクセスするアクセス手段と、ユーザの携帯端末に表示された物理量情報要求ボタンをクリックすると、物理量情報要求指令を受信する受信手段と、物理量情報要求指令を受信した場合、前記アクセス手段によって取得した物理量情報に含まれる物理量が閾値以上の場合に、当該物理量が閾値以上である旨を、その物理量に関連づけられた地図情報と共に、ユーザの携帯端末に送信する送信手段とを備えることもできる。【００１９】  また、本発明の防災情報処理システムは、人工衛星から取得した地球状態の物理量情報を格納するサーバにアクセスするアクセス手段と、ユーザの携帯端末に表示された２以上の物理量の論理和又は論理積の情報要求ボタンをクリックすると、情報要求指令を受信する受信手段と、情報要求指令を受信した場合、前記アクセス手段によって取得した物理量情報の論理和又は論理積を、その物理量に関連づけられた地図情報と共に、ユーザの携帯端末に送信する送信手段と、を備えることを特徴とする。
【発明の効果】
【００２０】  この発明によれば、気象衛星を保有しない地域又は国においても、災害を予防することが可能となる。
【図面の簡単な説明】
【００２１】
【図１】  防災情報処理システムを含む国際防災ネットワークを示す図である。
【図２】  防災情報処理システムを含む系のブロック図である。
【図３】  携帯端末の表示器に表示される画像を示す図である。
【図４】  携帯端末の表示器に表示される画像を説明する図である。
【図５】  携帯端末の表示器に表示される画像を説明する図である。
【図６】  携帯端末の表示器に表示される画像を説明する図である。
【図７】  携帯端末の表示器に表示される画像を示す図である。
【発明を実施するための形態】
【００２２】  以下、実施形態のかかる防災情報処理システム、防災情報処理プログラム及び防災情報処理方法について説明する。同一要素には同一符号を用いることとし、重複する説明は省略する。
【００２３】  まず、本発明の概要について説明する。
【００２４】  本発明では、世界中のユーザが、人工衛星から取得した物理量（降水量、海上風速、海面水温、土壌水分量、積雪深など）のデータを用いて、次の危険地域を予測するゲームを行う。ユーザが防災教育を受けながら、予想を継続的に的中させ続けると、ユーザの貢献度が上昇し、ユーザの携帯端末には、世界貢献の花（生物）が表示される。
【００２５】  すなわち、携帯端末上に、世界貢献の花を咲かせようとユーザが行動すると、個別のユーザの予想座標は、全体としては、集合知として、現実のマップ上に表示され、実際の災害予想の警告情報となる。この予想した警告情報は、ソーシャル・ネットワーク・サービス（Ｔｗｉｔｔｅｒ，Ｆａｃｅｂｏｏｋ，ＬＩＮＥ等）や電子メールを介して、危険情報に対応する地域のユーザに通知され、人命の救助に役立つ。
【００２６】  特に、気象衛星のない地域で、人工衛星からのデータと、ゲームを通じた世界ユーザの集合知を用いて、危険地域を予想するが活用されうる。予想地域を、ソーシャル・ネットワーク・サービスを通じて、その地域に危険情報を発信する。また、教育システムを搭載することにより、災害にあった際にも、該当地域のユーザが自力で避難できる能力を養う。
【００２７】  この発明は、世界を救おうとする人の心が、ゲームを通じて、現実に世界を救っていくように設計されている。また、世界を救う気持ちが無いユーザも、世界貢献の花を咲かせようとゲームを行うことにより、実際に世界が救われ、次第に、花という生物を育む心に刺激されて、ユーザの心も変わり、最終的には、少しずつ、世界を良い方向に変えることに役に立つ。
【００２８】  図１は、防災情報処理システムを含む国際防災ネットワークを示す図である。
【００２９】  人工衛星１は、地球を観測して、地球に関する物理量を取得する。人工衛星はレーダや画像解析装置を搭載している。人工衛星１から送信される物理量の情報は、地上のアンテナ２によって受信され、物理量情報取得サーバ３に格納される。
【００３０】  防災情報処理システム４は、予め物理量情報取得サーバ３に格納された物理量の情報を、受信して、特定の処理を行い、インターネットを介して、ユーザの携帯端末５（５Ａ、５Ｂ、５Ｃ）に送信する。なお、物理量取得サーバ３と防災情報処理システム４との間は、インターネットを介して接続されているが、イントラネットを用いて接続してもよい。また、ユーザの携帯端末は、好適には、携帯電話であるため、携帯電話の基地局とインターネットプロバイダーを介して、インターネットに接続されるが、Ｗｉｆｉなどの無線とインターネットプロバイダーを介して、インターネットに接続することも可能である。
【００３１】  図１では、米国、日本、フィリピンにユーザＸ，Ｙ，Ｚが居住しており、それぞれ携帯端末５Ａ，５Ｂ，５Ｃを保持している旨が示されている。近年、フィリピンでは、スマートフォンなどの携帯電話の普及率が高いにも拘わらず、大規模な台風等によって、数多くの方が亡くなられている。台風が近づいているにも拘わらず、漁に出かけた漁師が犠牲になっている。このような災害を防止するために、各国のユーザＸ，Ｙが危険地域の予想位置を携帯電話から入力すると、集合知としての危険位置が、該当する地域のユーザに知らされる。米国のユーザＸと、日本のユーザＹが、携帯端末５Ａ，５Ｂから、未来の特定日における、それぞれ危険地域の予想位置を入力すると、防災情報処理システム４は、危険地域の予想位置を、単位地域毎に積算する。そして、防災情報処理システム４は、同一の予想位置を入力するユーザ数の積算値が閾値を超えた場合には、実際に、該当するフィリピンのユーザＺに、特定日における警告情報を送信する。
【００３２】  ユーザＺは、フィリピンの危険情報を配信するソーシャルネットワークサービス（ＳＮＳ）に接続している。具体的には、フィリピン用のＳＮＳの情報配信サーバに、ユーザＺは登録しているため、この情報配信サーバに向けて、防災情報処理システム４が、警告情報を送信すれば、当該情報配信サーバを介して、フィリピンにいるユーザＺの携帯端末５Ｃが、警告情報を受信することができる。ＳＮＳでは、複数のユーザがネットワークを介して予め接続されているため、防災情報処理システム４が、当該ネットワークに接続された一人のユーザとして振る舞えば、かかる通信は可能である。詳細には、ＳＮＳとしてＴｗｉｔｔｅｒを用いる場合、フィリピンのユーザＺは、フィリピン用の警告者（防災情報処理システム４の一部）をフォローしていれば、当該警告者の発信情報は、ユーザＺに伝わることになる。
【００３３】  なお、ユーザＸ，Ｙが予想を行うためには、予め、防災情報処理システム４が、携帯端末５Ａ，５Ｂに、物理量の情報を送信しておく必要がある。ユーザＸ，Ｙは、送信されてきた物理量情報をみて、危険位置を予想し、防災情報処理システムに送信する。そして、危険位置情報が、閾値を超えた場合には、実際に危険であるとシステムは判断して、その地域のユーザの携帯端末５Ｃに警告情報を送信するのである。
【００３４】  以下、防災情報処理システム４について、詳説する。
【００３５】  図２は、防災情報処理システム４を含む系のブロック図である。
【００３６】  実施形態に係る防災情報処理システム４は、人工衛星１から取得した地球状態の物理量情報を格納するサーバ３にアクセスするアクセスサーバＡ（アクセスサーバ）と、アクセスサーバＡによって取得した物理量情報を、複数のユーザの携帯端末に送信する第１の送信サーバＤ（送信手段）と、複数のユーザによって予想された複数の危険位置の情報を受信サーバＦを介して受信し、受信した危険位置情報に基づいて、警告情報を作成する処理サーバＣ（処理手段）とを備えている。
【００３７】  アクセスサーバＡは、一日に１又は２以上の回数だけ物理量情報取得サーバ３にアクセスし、記憶された物理量を取得し、取得した物理量情報をデータベースサーバＢに保存する。処理サーバＣは、データベースサーバＢに格納された物理量情報を読み出して、所定の処理を行う。処理サーバＣは、特定座標の物理量（たとえば、降水量）を読み出して、物理量が閾値以上の場合には、特定座標における警告情報を作成し、閾値未満の場合には、作成しない。
【００３８】  アクセスサーバＡは、定期的に、又は、受信サーバＦを介して、ユーザが要求した場合に、地図情報を図示しない外部サーバから取得し、データベースサーバＢに保存する。データベースサーバＢは、予め地図情報を保持していてもよい。このような地図情報は、例えば、「Ｇｏｏｇｌｅ  Ｍａｐ  ＡＰＩ」を用いて取得することができる。
【００３９】  ユーザの携帯端末５から、危険位置を予想する情報が、受信サーバＦを介して、処理サーバＣに入力された場合、処理サーバは、危険位置予想情報を、データベースサーバＢに格納する。複数のユーザの端末５から、複数の危険位置予想情報が、その予想日時と関連づけられて保存され、入力回数が保存される。特定の日時における、特定の座標における、危険位置の入力カウント数が、閾値以上の場合、処理サーバＣは、特定座標における警告情報を作成し、閾値未満の場合には、作成しない。
【００４０】  警告情報が作成された場合、処理サーバＣは、その旨を第２の送信サーバＥを介して、そのユーザの存在するＳＮＳ６（サーバ）に送信する。ＳＮＳ６には、特定の座標に関連づけれたユーザが所属しており、危険地域に存在するユーザに、ＳＮＳ６から携帯端末５に警告情報が送信される。
【００４１】  このように、この防災情報処理システムは、処理手段によって作成された警告情報を、ユーザの携帯端末５に送信させる第２の送信サーバ（送信手段）６を備えている。警告情報には、特定のＵＲＬリンクが含まれている。ＵＲＫリンクは、物理量情報を地図情報上に関連づけて表示したＷｅｂページであり、処理サーバＣによって作成される。このＷｅｂページ（状態マップとする）は、データベースサーバＢから取得した物理量情報（物理量、座標）を、地図情報（Ｇｏｏｇｌｅ  Ｍａｐ）上にピン止めして表示することにより、処理サーバＣが作成する。したがって、ユーザが携帯端末５のＵＲＬリンクをクリックすると、該当するＷｅｂページが表示され、警告情報を知ることとなる。
【００４２】  複数のユーザが、危険位置を予想する場合、処理サーバＣによって作成された現在及び過去の状態マップを参考にする。ユーザは、予想ゲームを起動すると、状態マップにアクセスできる。このため、処理サーバＣは、携帯端末５から、受信サーバＦを介して、予想ゲームの起動が通知された場合には、第１の送信サーバＤを介して、そのユーザの携帯端末に状態マップのＷｅｂページを送信する。
【００４３】  状態マップは、現在又は過去の物理量の地図上の分布を示している。ユーザは、いずれの日時の状態マップを表示させるかを選択することができる。状態マップにおいて、警告情報に対応する位置では、円を点滅させるなどの強調表示を行う。
【００４４】  防災情報処理システムにおいては、第２の送信サーバＥは、ＳＮＳ６を介して、処理サーバＣによって作成された警告情報（「危険です。詳しくはリンク先のＵＲＬをクリック」などの表示）を、ユーザの携帯端末５に送信しているので、ユーザがＵＲＬをクリックすると、対応する日時の状態マップ（Ｗｅｂページ）がユーザの携帯端末に送信され、ユーザが危険情報を知ることができる。
【００４５】  この防災情報処理システムは、ユーザの携帯端末５の位置情報、又は、ユーザが予め登録しておいた位置情報を記憶するアドレス記憶サーバ（記憶手段）Ｇを備えている。ユーザの携帯端末５の位置は、携帯端末５から定期的に出力される位置情報を、受信サーバＦを介して、処理サーバＣが受信し、これをアドレス記憶サーバＧに格納する。ユーザは、携帯端末５から、所定の登録Ｗｅｂページにアクセスし、位置情報を入力すると、処理サーバＣが、入力された位置情報をアドレス記憶サーバＧに入力する。第２の送信サーバＥは、アドレス記憶サーバＧに記憶されたユーザの位置情報の示す位置が、処理サーバＣが受信した危険位置情報示す位置範囲内に含まれかどうかの判定を行う。ユーザの位置が（ｘ１、ｙ１）である場合に、危険位置が（ｘ１、ｙ１）から所定距離の範囲内の座標群である場合には、この範囲内に登録アドレス（たとえば、フィリピンのマニラの座標）が存在するかどうかを判定する。登録アドレスが存在する場合には、フィリピンのユーザが所属するＳＮＳ６（例：Ｔｗｉｔｔｅｒ）を介して、第２の送信サーバＥは、該当するユーザに警告情報を送信する。
【００４６】  複数のユーザは、予想ゲームを通じて、危険位置を予想しているが、この予想位置が正解であるかどうかを、後日知ることができるシステムになっている。すなわち、この防災情報処理システムは、今回のあるユーザの予想の危険位置と、その後に、人工衛星から取得した物理量情報に基づいて得られる危険位置（物理量が閾値を超えた場合の座標）と比較する比較処理（比較手段）を、ランキングサーバＨにおいて行う。続いて、ランキングサーバＨは、比較処理による比較結果が、一致する場合には、当該ユーザの予想的中ランキングを上昇させるランキング処理（ランキング手段）を行う。例えば、ランキングサーバＨは、ユーザの予想的中ランキングの初期値を０としておき、比較結果が一致した場合には、＋２を行う。ユーザの予想的中ランキングは、日時の経過と共に低下していく処理を行う。例えば、ランキングサーバは、一日が経過すると、予想的中ランキングを−１だけ低下させる。これにより、ユーザの継続的な予想を促すと共に、予想教育を実施することができる。
【００４７】  上述の防災情報処理システムを利用する携帯端末５には、防災情報処理プログラムがインストールされる。このプログラムは、携帯電話を構成するコンピュータに読み取り可能であり、そのハードウエア資源（携帯電話におけるＣＰＵやメモリ）と協働して、コンピュータを制御する。この防災情報処理プログラムは、プログラム起動時に、ランキング処理によって決定されたユーザのランキングの情報を、第１の送信サーバＤを介して受信する。そして、ランキングの上昇に応じて、当該ユーザの表示器上に表示させる生物を成長させる表示を行う（ランキング情報表示手段）。例えば、ランキングの値が大きくなれば、表示される花の寸法が大きくなる。単純に、ランキングに応じて、花を成長させる表示を行ってもよいが、ここでは、教育グレードを評価し、教育グレード×ランキング＝貢献度という指標を用いる。貢献度が上昇すると、生物が成長する。
【００４８】  図３は、携帯端末５の表示器１０に表示される画像を示す図である。上述の警告情報１１、ランキング情報１４、貢献度１６、生物１７（花）が表示されている。教育グレード１５は、ユーザが自主的に行う選択式の問題を回答することで得られるランクで、ランクが例えば１〜１０まで存在する。正答率が高い場合には、ランクは上昇する。実際の社会において問題に解答して、自分でランキング情報を入力することもできるが、Ｗｅｂページを用いて選択式の問題を作成し、正答率に応じて教育グレードのランクを決定してもよい。教育グレードを高め、かつ、継続的に危険位置の予想を的中させると、貢献度１６の数値が上昇し、生物１７が成長する。ユーザによる危険位置の予想ゲームは、予想スタートボタン１３をクリックすると、始まり、上述のように、ユーザの携帯端末５からから危険位置が、受信サーバを介して処理サーバに送信される。
【００４９】  なお、ＳＮＳ連携ボタン１２は、警告情報１１をユーザが受信した際に、自身の属するＳＮＳに、その情報を転送するボタンである。次に、ユーザによる予想ゲームについて説明する。
【００５０】  図４は、携帯端末の表示器に表示される画像を説明する図である。ユーザが、予想スタートボタン１３をクリック（選択）すると、現在及び過去の物理量の地図上の分布（状態マップ）を表示することができる。同図では、今日及び昨日の状態マップが表示され、物理量が閾値を超えた位置には、マーク（星印）が示されている。明日の状態マップは表示されていない。したがって、明日の状態マップの位置をクリック（選択）すると、地図情報上に二次元のマトリックスが現れる（図５参照）、ユーザは、マトリックスのいずれかの位置を、明日の危険位置としてクリック（選択）する。なお、クリックはタップともいう。携帯電話としては、スマートフォンを用いる。ユーザが選択を行うと、その危険位置が、上述のように処理サーバに送信される。なお、この地図情報は、広域を表示しておいて、ユーザが特定のマトリクスの位置を選択すると、その位置が詳細に表示され、次に、同様にマトリックスが表示され、最終的なスケールの地図情報を表示している際に選択された危険位置情報が処理サーバに送信される。
【００５１】  このように、上述の防災情報処理システムを利用する携帯端末を制御する防災情報処理プログラムは、複数地域に分割された地図情報を、第１の送信サーバから受信した物量量情報と共に、表示器上に表示させる表示制御処理（図４の表示）（表示制御手段）を備えている。また、このプログラムは、表示器上に分割された表示された各地域のいずれかをクリックした旨を検出するクリック検出処理（クリック検出手段）と、クリックされた地域の座標を、ユーザによって予想された複数の危険位置の情報として、処理サーバに送信する、予想情報送信処理（予想情報送信処理手段）とを備えている。
【００５２】  図６は、携帯端末の表示器に表示される画像を説明する図である。複数のユーザによって、明日の危険位置が予想された場合、処理サーバでは、明日の状態マップが集合知によって作成されることになる。明日の警告情報をユーザが受信した場合に、警告情報に含まれるＵＲＬにアクセスすると、明日の状態マップが、処理サーバから第１の送信サーバを介して、ユーザの携帯端末に送信され、同図に示される状態マップが表示される。星印の位置が、複数のユーザによって予想された危険位置である。なお、処理サーバは、図中の座標（１，５）の位置に、２つの星印が存在する旨を検知して、その座標の属するユーザのＳＮＳに、警告情報を送信している。
【００５３】  図７は、携帯端末の表示器に表示される画像を示す図である。携帯電話５のプログラムとしては、表示器上に複数の物理量に関するボタン２１〜２６を表示させることができる。ボタンは、Ｗｅｂページにリンクしており、ボタンをクリックした場合には、該当する物理量に関する状態マップを、処理サーバに受信サーバを介して要求する送信を行う。処理サーバは、要求に応じて、第１の送信サーバから、携帯電話に、該当する状態マップのＷｅｂページを送信する。
【００５４】  すなわち、この防災情報処理システムは、人工衛星から取得した地球状態の物理量情報を格納するサーバにアクセスするアクセスサーバＡと、ユーザの携帯端末５に表示された物理量情報要求ボタン（２１〜２５）をクリックすると、物理量情報要求指令を受信する受信サーバＦと、物理量情報要求指令を受信した場合、アクセスサーバＡによって取得した物理量情報を、その物理量に関連づけられた地図情報と共に、ユーザの携帯端末５に送信する第１の送信サーバＤとを備えている。なお、本例の物理量１〜５には、それぞれ、降水量、海上風速、海面水温、土壌水分量、積雪深が割り当てられるが、他の物理量を採用することもできる。なお、いずれかのボタン２１〜２５をクリックした場合において、物理量そのもの色分けするなどして、地図上に表示させてもよいが、物理量が閾値を超えた場合においては、閾値を超えた箇所のみを星印等のマーカで表示してもよい。
【００５５】  すなわち、ユーザの携帯端末５に表示された物理量情報要求ボタン（２１〜１５）をクリックすると、物理量情報要求指令を受信する受信サーバＦと、物理量情報要求指令を受信した場合、アクセスサーバＡによって取得した物理量情報に含まれる物理量が閾値以上の場合に、当該物理量が閾値以上である旨を、その物理量に関連づけられた地図情報と共に、ユーザの携帯端５末に送信する第１の送信サーバＤとを備えることもできる。
【００５６】  また、同図では、２以上の物理量の論理和のボタン２６、２以上の物理量の論理積のボタン２７が示されている。これらのボタンを押すことにより、ユーザは、総合的な危険情報の判断をすることができる。２つの物理量としては、降水量と海上風速が挙げられる。双方の物理量の論理和が示される場合には、広範な地域の情報を知ることができ、論理積が示される場合には、より危険な地域の情報を知ることができる。この場合のシステムは、ユーザの携帯端末５に表示された２以上の物理量の論理和又は論理積の情報要求ボタンをクリックすると、情報要求指令を受信する受信サーバＦと、情報要求指令を受信した場合、アクセスサーバＡによって取得した物理量情報の論理和又は論理積を、その物理量に関連づけられた地図情報と共に、ユーザの携帯端末に（状態マップとして）送信する送信サーバＤとを備えることになる。
【００５７】  以上、説明したように、第１の防災情報処理方法は、人工衛星から取得した地球状態の物理量情報を格納するサーバにアクセスするアクセス工程と、前記アクセス手段によって取得した物理量情報を、複数のユーザの携帯端末に送信する送信工程と、複数のユーザによって予想された複数の危険位置の情報を受信し、受信した危険位置情報に基づいて、警告情報を作成する処理工程とを備えることを特徴とする。
【００５８】  本発明にかかる第２の防災情報処理方法は、前記処理工程によって作成された警告情報を、ユーザの携帯端末に送信させる第２の送信工程を備えることを特徴とする。
【００５９】  本発明にかかる第３の防災情報処理方法は、前記第２の送信工程は、ソーシャル・ネットワーキング・サービスを介して、前記処理工程によって作成された警告情報を、ユーザの携帯端末に送信させることを特徴とする。
【００６０】  本発明にかかる第４の防災情報処理方法は、ユーザの携帯端末の位置情報、又は、ユーザが予め登録しておいた位置情報を記憶するアドレス記憶工程を備え、前記第２の送信工程は、前記アドレス記憶工程に記憶されたユーザの位置情報の示す位置が、前記処理工程が受信した危険位置情報示す位置範囲内に含まれる場合には、該当するユーザに警告情報を送信することを特徴とする。
【００６１】  本発明にかかる第５の防災情報処理方法は、今回のあるユーザの予想の危険位置と、その後に、人工衛星から取得した物理量情報に基づいて得られる危険位置と比較する比較工程と、前記比較手段による比較結果が、一致する場合には、当該ユーザの予想的中ランキングを上昇させるランキング工程と、を備えることを特徴とする。
【符号の説明】
【００６２】Ａ…アクセスサーバ、Ｂ…データベースサーバ、Ｃ…処理サーバ、Ｄ…第１の送信サーバ、Ｅ…第２の送信サーバ、Ｆ…受信サーバ、Ｇ…アドレス記憶サーバ、Ｈ…ランキングサーバ、５…携帯端末、６…ＳＮＳ。
【図１】
2015153412.tif 000003
【図２】
2015153412.tif 000004
【図３】
2015153412.tif 000005
【図４】
2015153412.tif 000006
【図５】
2015153412.tif 000007
【図６】
2015153412.tif 000008
【図７】
2015153412.tif 000009